(57)【特許請求の範囲】
【請求項１】
用紙を搬送する本体搬送路と用紙に画像を形成する画像形成部と画像形成済みの用紙を外部に排出する排出部を含む本体部と、複数枚の用紙を収容する給紙装置を有し、
前記給紙装置は、用紙を送り出す給紙回転体と、
前記本体搬送路に接続され、前記給紙回転体が送り出した用紙を前記本体搬送路に向けて搬送する給紙搬送路と、
前記給紙搬送路の搬送経路に設けられ、給紙された用紙の到達、通過を検知する用紙検知体と、
先行の用紙の後端が前記給紙搬送路を抜ける予定の時間を計時する給紙制御部と、を含み、
前記給紙回転体が回転を開始してから予め定められた時間内に前記用紙検知体が用紙の到達を検知できないとき、
前記給紙回転体は、一旦停止し、予め定められた待ち時間待った後に回転するリトライ動作を予め定められた回数行うとともに、最後の前記リトライ動作については、前記用紙検知体が先行の用紙の先端又は後端を検知してから、先行の用紙の後端が前記給紙搬送路を抜ける予定の時間を計時することで前記給紙制御部が先に給紙され、先行する用紙の後端が前記給紙搬送路を抜けたと判断してから最後の前記リトライ動作を行い、
最後の前記リトライ動作を行っても、予め定められた時間内に前記用紙検知体が用紙の到達を検知できないとき、無給紙ジャム発生により、前記給紙回転体は給紙停止を行い、前記給紙搬送路は搬送停止を行うことを特徴とする画像形成装置。
【請求項２】
前記本体搬送路は、前記給紙装置での前記給紙停止及び前記搬送停止の前に前記給紙搬送路から搬入された先行の用紙を搬送し終えた後に停止し、
前記画像形成部は、前記先行の用紙に対して画像を形成し終えた後に停止し、
前記排出部は、画像が形成された前記先行の用紙を排出し終えた後に停止することを特徴とする請求項１記載の画像形成装置。
【請求項３】
前記本体部は、画像形成装置の状態を表示する表示部を含み、
前記表示部は、前記給紙装置が無給紙ジャム発生による前記給紙停止及び前記搬送停止を行ったとき、前記給紙装置で無給紙ジャムが生じた旨を表示することを特徴とする請求項１又は２に記載の画像形成装置。
【請求項４】
前記給紙搬送路は、用紙１枚分よりも長く、
前記給紙回転体は、前記用紙検知体による先行の用紙の到達検知から先行の用紙の後端が前記給紙搬送路を抜けるまでに要する時間だけ待った後、最後の前記リトライ動作を行うことを特徴とする請求項１乃至３の何れか１項に記載の画像形成装置。
【請求項５】
用紙を送り出す給紙回転体と、
給紙装置外の搬送路に接続され、前記給紙回転体が送り出した用紙を給紙装置外の搬送路に向けて搬送する給紙搬送路と、
前記給紙搬送路の搬送経路に設けられ、給紙された用紙の到達、通過を検知する用紙検知体と、
先行の用紙の後端が前記給紙搬送路を抜ける予定の時間を計時する給紙制御部と、を含み、
前記給紙回転体が回転を開始してから予め定められた時間内に前記用紙検知体が用紙の到達を検知できないとき、
前記給紙回転体は、一旦停止し、予め定められた待ち時間待った後に回転するリトライ動作を予め定められた回数行うとともに、最後の前記リトライ動作については、前記用紙検知体が先行の用紙の先端又は後端を検知してから、先行の用紙の後端が前記給紙搬送路を抜ける予定の時間を計時することで前記給紙制御部が先に給紙された用紙の後端が前記給紙搬送路を抜けたと判断してから最後の前記リトライ動作を行い、
最後の前記リトライ動作を行っても、予め定められた時間内に前記用紙検知体が用紙の到達を検知できないとき、無給紙ジャム発生により、前記給紙回転体は給紙停止を行い、前記給紙搬送路は搬送停止を行うことを特徴とする給紙装置。
【請求項６】
前記給紙搬送路は、用紙１枚分よりも長く、
前記給紙回転体は、前記用紙検知体の先行の用紙の到達検知から先行の用紙の後端が前記給紙搬送路を抜けるまでに要する時間だけ待った後、最後の前記リトライ動作を行うことを特徴とする請求５項に記載の給紙装置。
【発明の詳細な説明】
【技術分野】
【０００１】
本発明は、印刷に用いる給紙装置、及び、給紙装置を備えたプリンター、複合機、複写機、ＦＡＸ装置等の画像形成装置に関する。
【背景技術】
【０００２】
画像形成装置は、給紙装置から供給された用紙を搬送し、印刷を行う。そして、給紙用や搬送用の回転体の汚れや摩耗、用紙の表面の状態、用紙の載置状態などに起因して、ジャム（用紙詰まり）が生ずることがある。ジャムが生ずると搬送路で用紙が詰まったり、用紙の到達が遅れたり、用紙が適切に給紙装置から送り出されなかったりする。そこで、用紙の詰まりがひどくならないように、各種ジャムが発生すると画像形成装置は停止する。この後、使用者は、詰まった用紙を搬送路や給紙装置から取り除くジャム処理を行ってジャムを解消する。そして、ジャムの発生を抑制し、ジャム処理の操作、作業を軽減しようとする発明が特許文献１に記載されている。
【０００３】
具体的に、特許文献１には、給紙部と、格納している用紙のサイズを指定する手段と、給紙部から用紙を１枚ずつ送り出す給紙ローラーと、画像の書きこみ位置を合わせるためのレジストローラーによって、搬送している用紙を一旦停止させた後、再度動作をスタートさせる機能部と、レジスト位置に用紙が到達あるいは通過したことを検出するセンサーと、センサーによって搬送している用紙の後端を検出する手段とを備え、連続通紙させる場合において、最初の１枚を給紙した後はその用紙後端を検出するまでは２枚目の給紙ジャム検出を行わない画像形成装置が記載されている。この構成により、サイズ間違いによる不給紙のジャムを出さないようにし、ジャム解除のための操作などをなくすそうとする（特許文献１：請求項１、段落［０００９］等参照）。
【先行技術文献】
【特許文献】
【０００４】
【特許文献１】特開２００２−２１１７９５号公報
【発明の概要】
【発明が解決しようとする課題】
【０００５】
画像形成装置には、用紙の収容能力を高める等の目的で、給紙装置が複数取り付けられることがある。例えば、増設用の給紙装置がオプション装置として用意され、給紙装置は画像形成装置に標準搭載される給紙装置に対しさらに付加する形態で増設される。そのため、増設された給紙装置から本体の排出トレイまでの用紙の搬送距離は、一般的に長くなる。又、給紙装置には、内部に搬送路を有するものもある。このような給紙装置では、用紙の搬送距離は更に長くなる。
【０００６】
そして、給紙装置には、用紙と接して用紙を送り出す給紙用の回転体（例えば、給紙ローラーや給紙コロ）が設けられることがある。ここで、給紙用の回転体の汚れや摩耗、用紙の表面の状態、給紙装置内での用紙の載置状態などに起因して、給紙用の回転体が空転し、用紙が送り出されない無給紙ジャム（詰まり）が生ずることがある。
【０００７】
搬送路を有する給紙装置から給紙を行っているとき、無給紙ジャムが生じて給紙装置や画像形成部が停止すると、問題なく給紙された先行の用紙は給紙装置内の搬送路で停止する。そうすると、使用者は給紙装置内の搬送路からの用紙の除去作業を行わなくてはならず、ジャム処理は煩雑なものとなるという問題がある。
【０００８】
又、給紙装置は用紙１枚分よりも長い搬送路を有することもある。このような給紙装置では、給紙装置内の搬送路が長いため、複数ページにわたり連続して印刷している状態で無給紙ジャムが生じたとき、確実に複数の用紙を給紙装置から除去しなくてはならず、ジャム処理は煩雑であるという問題がある。
【０００９】
更に言えば、搬送経路が長いと、複数ページにわたり連続して印刷している状態では、給紙装置や画像形成装置本体内での用紙の搬送経路には複数枚（例えば、２、３枚）の用紙が存在することがある。このとき、無給紙ジャムが生ずると、画像形成装置や給紙装置から搬送中の複数枚の用紙を全て取り除かなくてはならない。
【００１０】
ここで、特許文献１記載の画像形成装置は、レジスト位置にセンサーが設けられ、先行の用紙の後端がセンサーを抜けるまで待ち、抜けてからタイムアウトまでにセンサーが用紙到達を検知するか否かにより不給紙ジャム発生を検知する（特許文献１、段落［００２７］、［００３１］、図３等参照）。言い換えると、レジスト位置への用紙の到達遅れを不給紙ジャムとして検知する。従って、給紙装置で用紙が送り出されない無給紙ジャムの発生を直ちに検知できないという問題がある。
【００１１】
この問題のため、特許文献１記載の画像形成装置では、遅れて給紙が開始された用紙が給紙装置内や本体内の搬送路に存在する時点で不給紙ジャムと検知される可能性がある。この場合、結局、給紙装置などから用紙を取り除くジャム処理を行わなくてはならず、ジャム処理が煩雑であるという問題を解決できない。更にいえば、又、給紙開始位置からレジスト位置（センサー）までの距離が長いと、前の用紙がレジスト位置に到達するまでに次の用紙の搬送が開始されることもあり得る。そうすると、不給紙ジャムが検知されたとき、給紙装置からレジスト位置までの間に複数の用紙が存在する状態で画像形成装置が停止することもあり、尚更のことジャム処理が煩雑となる。
【００１２】
本発明は、上記問題点に鑑み、無給紙ジャムが発生したとき、先行する用紙を給紙装置から抜けさせ、給紙装置内の搬送路に先行する用紙が無い状態としてから給紙装置を停止させることで、ジャム処理を容易にすることを課題とする。
【課題を解決するための手段】
【００１３】
上記目的を達成するために請求項１に係る画像形成装置は、用紙を搬送する本体搬送路と用紙に画像を形成する画像形成部と画像形成済みの用紙を外部に排出する排出部を含む本体部と、複数枚の用紙を収容する給紙装置を有し、前記給紙装置は、用紙を送り出す給紙回転体と、前記本体搬送路に接続され、前記給紙回転体が送り出した用紙を前記本体搬送路に向けて搬送する給紙搬送路と、前記給紙搬送路の搬送経路に設けられ、給紙された用紙の到達、通過を検知する用紙検知体と、先行の用紙の後端が前記給紙搬送路を抜ける予定の時間を計時する給紙制御部と、を含み、前記給紙回転体が回転を開始してから予め定められた時間内に前記用紙検知体が用紙の到達を検知できないとき、前記給紙回転体は、一旦停止し、予め定められた待ち時間待った後に回転するリトライ動作を予め定められた回数行うとともに、最後の前記リトライ動作については、前記用紙検知体が先行の用紙の先端又は後端を検知してから、先行の用紙の後端が前記給紙搬送路を抜ける予定の時間を計時することで前記給紙制御部が先に給紙され、先行する用紙の後端が前記給紙搬送路を抜けたと判断してから最後の前記リトライ動作を行い、最後の前記リトライ動作を行っても、予め定められた時間内に前記用紙検知体が用紙の到達を検知できないとき、無給紙ジャム発生により、前記給紙回転体は給紙停止を行い、前記給紙搬送路は搬送停止を行うこととした。
【００１４】
この構成によれば、給紙回転体は、先に給紙され、先行する用紙の後端が給紙搬送路を抜けてから最後のリトライ動作を行い、最後のリトライ動作を行っても、予め定められた時間内に用紙検知体が用紙の到達を検知できないとき、無給紙ジャム発生により、給紙回転体は給紙停止を行い、給紙搬送路は搬送停止を行う。これにより、給紙回転体を回転させても給紙がなされない無給紙ジャムが生じたとして、給紙回転体の回転や給紙搬送路の搬送を停止させても、給紙装置内の給紙搬送路には先行の用紙は残されない。従って、無給紙ジャムの処理の際、給紙搬送路の用紙を取り除く必要が無くなり、給紙装置でのジャム処理が容易となる。
【００１５】
又、請求項２に係る発明は、請求項１の発明において、前記本体搬送路は、前記給紙装置での前記給紙停止及び前記搬送停止の前に前記給紙搬送路から搬入された先行の用紙を搬送し終えた後に停止し、前記画像形成部は、前記先行の用紙に対して画像を形成し終えた後に停止し、前記排出部は、画像が形成された前記先行の用紙を排出し終えた後に停止することとした。
【００１６】
この構成によれば、本体搬送路は、給紙装置での給紙停止及び搬送停止の前に給紙搬送路から搬入された先行の用紙を搬送し終えた後に停止し、画像形成部は、先行の用紙に対して画像を形成し終えた後に停止し、排出部は、画像が形成された先行の用紙を排出し終えた後に停止する。これにより、無給紙ジャムが生じたとして、給紙装置の給紙回転体や給紙搬送路が停止しても、本体部内の全ての用紙に対して印刷を完了するまで、本体部では画像形成（印刷）が続けられる。従って、無給紙ジャムが生じたとき、使用者は、本体部内の用紙を除去せずに済み、給紙装置での用紙の載置状態の確認（無給紙ジャムを生じさせた用紙の確認）を行うだけで無給紙ジャムのジャム処理を終えることができる。
【００１７】
又、請求項３に係る発明は、請求項１又は２の発明において、前記本体部は、画像形成装置の状態を表示する表示部を含み、前記表示部は、前記給紙装置が無給紙ジャム発生による前記給紙停止及び前記搬送停止を行ったとき、前記給紙装置で無給紙ジャムが生じた旨を表示することとした。
【００１８】
この構成によれば、表示部は、通信部が無給紙ジャム信号を発すると、給紙装置で無給紙ジャムが生じた旨を表示する。これにより、使用者は、給紙装置で無給紙ジャムが発生したことを認識できる。
【００１９】
又、請求項４に係る発明は、請求項１乃至３の発明において、前記給紙搬送路は、用紙１枚分よりも長く、前記給紙回転体は、前記用紙検知体による先行の用紙の到達検知から先行の用紙の後端が前記給紙搬送路を抜けるまでに要する時間だけ待った後、最後の前記リトライ動作を行うこととした。
【００２０】
従来、給紙装置内の給紙搬送路が長いほど、無給紙ジャムによって給紙回転体や給紙搬送路が停止したとき、給紙搬送路に用紙は残りやすいものであった。しかし、この構成によれば、給紙回転体は、用紙検知体による先行の用紙の到達検知から先行の用紙の後端が給紙搬送路を抜けるまでに要する時間だけ待った後、最後のリトライ動作を行う。これにより、給紙搬送路が用紙１枚分よりも長くても、無給紙ジャム発生による停止のとき、給紙搬送路には用紙が残らない。従って、使用者の無給紙ジャム発生時のジャム処理での作業を確実に簡略化することができる。
【００２１】
又、請求項５に係る給紙装置は、用紙を送り出す給紙回転体と、給紙装置外の搬送路に接続され、前記給紙回転体が送り出した用紙を給紙装置外の搬送路に向けて搬送する給紙搬送路と、前記給紙搬送路の搬送経路に設けられ、給紙された用紙の到達、通過を検知する用紙検知体と、先行の用紙の後端が前記給紙搬送路を抜ける予定の時間を計時する給紙制御部と、を含み、前記給紙回転体が回転を開始してから予め定められた時間内に前記用紙検知体が用紙の到達を検知できないとき、前記給紙回転体は、一旦停止し、予め定められた待ち時間待った後に回転するリトライ動作を予め定められた回数行うとともに、最後の前記リトライ動作については、前記用紙検知体が先行の用紙の先端又は後端を検知してから、先行の用紙の後端が前記給紙搬送路を抜ける予定の時間を計時することで前記給紙制御部が先に給紙された用紙の後端が前記給紙搬送路を抜けたと判断してから最後の前記リトライ動作を行い、最後の前記リトライ動作を行っても、予め定められた時間内に前記用紙検知体が用紙の到達を検知できないとき、無給紙ジャム発生により、前記給紙回転体は給紙停止を行い、前記給紙搬送路は搬送停止を行うこととした。
【００２２】
この構成によれば、給紙回転体は、先に給紙され、先行する用紙の後端が給紙搬送路を抜けてから最後のリトライ動作を行い、最後のリトライ動作を行っても、予め定められた時間内に用紙検知体が用紙の到達を検知できないとき、無給紙ジャム発生により、給紙回転体は給紙停止を行い、給紙搬送路は搬送停止を行う。これにより、請求項１記載の発明と同様に、これにより、給紙回転体を回転させても給紙がなされない無給紙ジャムが生じたとして、給紙回転体の回転や給紙搬送路の搬送を停止させても、給紙装置内の給紙搬送路には先行の用紙は残されない。従って、無給紙ジャムの処理の際、給紙搬送路の用紙を取り除く必要が無くなり、給紙装置でのジャム処理が容易となる。
【００２３】
又、請求項６に係る発明は、請求項５の発明において、前記給紙搬送路は、用紙１枚分よりも長く、前記給紙回転体は前記用紙検知体の先行の用紙の到達検知から先行の用紙の後端が前記給紙搬送路を抜けるまでに要する時間だけ待った後、最後の前記リトライ動作を行うこととした。
【００２４】
この構成によれば、給紙搬送路は、用紙１枚分よりも長く、給紙回転体は、用紙検知体の先行の用紙の到達検知から先行の用紙の後端が給紙搬送路を抜けるまでに要する時間だけ待った後、最後のリトライ動作を行う。これにより、給紙搬送路が用紙１枚分よりも長いような長さを有していても、無給紙ジャム発生による停止のとき、給紙搬送路には用紙が残らない。従って、使用者の無給紙ジャム発生時のジャム処理での作業を確実に簡略化することができる。
【発明の効果】
【００２５】
本発明によれば、無給紙ジャムが発生したとき、給紙装置内の搬送路に先行する用紙が無い状態としてから給紙装置を停止させる。これにより、使用者のジャム処理作業を軽減することができる。
【図面の簡単な説明】
【００２６】
【図１】画像形成装置の概略構造を示す模型的正面断面図である。
【図２】画像形成装置のハードウェア構成の一例を示すブロック図である。
【図３】印刷ジョブの１枚目の用紙での無給紙ジャムの検知の流れの一例を示すフローチャートである。
【図４】印刷ジョブの２枚目以降の給紙装置からの給紙における無給紙ジャムの検知の流れの一例を示すフローチャートである。
【発明を実施するための形態】
【００２７】
以下、本発明の実施形態を、図１〜図４を用いて説明する。本実施形態では、オプション装置として接続された給紙装置７を含むプリンター１００（画像形成装置に相当）を例に挙げて説明する。但し、本実施の形態に記載される構成、配置等の各要素は、発明の範囲を限定するものではなく単なる説明例にすぎない。
【００２８】
（画像形成装置の概要）
まず、図１に基づき、給紙装置７を備えた画像形成装置（プリンター１００）を説明する。図１は、画像形成装置の概略構造を示す模型的正面断面図である。
【００２９】
図１に示すように、破線で示すように、プリンター１００の上部に操作パネル１が備えられる。又、本実施形態のプリンター１００の本体部９は、給紙部２、本体搬送路３、画像形成部４、定着部５、排出部６を備える。そして、本体部９の側方にオプション装置としての給紙装置７が取り付けられる。
【００３０】
操作パネル１は、エラーの発生や設定状態などのメッセージを表示する液晶表示部１１（表示部に相当）を備える。又、操作パネル１は、点消灯によりメッセージを表示するインジケーター１２（例えば、ＬＥＤ。表示部に相当）を含む。インジケーター１２は、点灯又は消灯して、「印刷中」、「印刷可能状態」、「用紙切れやジャム等のエラー発生中」等のメッセージを示す。又、操作パネル１には、給紙先や給紙部２や給紙装置７に収容される用紙のサイズの設定等を受け付ける設定キー１３が設けられる。
【００３１】
給紙部２は、給紙のための装置であり、プリンター１００に標準搭載される。そして、給紙部２は、画像形成部４に向けて用紙を供給する。給紙部２は、各サイズの用紙等の用紙が収納されるカセット２１（図１で上方のものに２１ａ、下方のものに２１ｂの符号を付す）を含む。又、給紙部２は、各カセット２１から用紙を１枚ずつ本体搬送路３に送り出す給紙ローラー２２（図１で上方のものに２２ａ、下方のものに２２ｂの符号を付す）等を備える。印刷を行うとき、モータ（不図示）等により給紙ローラー２２が回転駆動し、用紙が本体搬送路３に供給される。
【００３２】
各給紙部２は、内部に複数枚の用紙が載置される用紙載置台２３を有する（図１で上方のものに２３ａ、下方のものに２３ｂの符号を付す）。各用紙載置台２３には、各種サイズ（例えば、Ａ４用紙、Ａ３用紙、Ｂ４用紙等のＡ判やＢ判サイズの用紙や、レターサイズなど）の各種タイプ（普通紙、再生紙、厚紙、薄紙、コート紙、ＯＨＰシート等）の用紙を載置できる。例えば、用紙載置台２３には、５００枚程度の用紙を積載可能である。そして、用紙の位置を規制するため、後端規制ガイド２４（図１で上方のものに２４ａ、下方のものに２４ｂの符号を付す）や、用紙を挟むようにスライドして用紙搬送方向と垂直な方向で規制する一対の幅規制ガイド２５（図１で上方のものに２５ａ、下方のものに２５ｂの符号を付す）が設けられる。
【００３３】
本体搬送路３は、用紙を、画像形成部４に向けて搬送するためのものである。本体搬送路３には、用紙を案内するガイド（不図示）、複数の搬送ローラー対３１、３２が設けられる。又、本体搬送路３には、画像形成部４でのトナー像形成にタイミングをあわせて用紙を画像形成部４に送り込むレジストローラー対３３も設けられる。
【００３４】
又、本体搬送路３には、レジストローラー対３３への用紙の到達や通過を検知するレジストセンサー３４が設けられる。レジストセンサー３４は、例えば、用紙と接すると回転するアクチュエーターを備えた透過型光センサーである。アクチュエーターは、用紙が存在していないとき、発光部と受光部間の光路を遮り、用紙と接して回転すると発光部からの光が受光部に到達し、受光部（センサー）の出力が変化する。尚、レジストセンサー３４は、透過型の光センサーに限られず、用紙からの反射光で用紙の到達、通過を検知する反射型光センサーでもよいし、又、光センサーに限られず、他種のセンサー（例えば、超音波センサー）でもよく、用紙の到達、通過を検知可能なセンサーであればよい。
【００３５】
画像形成部４は、トナー像を形成し、本体搬送路３によって搬送されてきた用紙にトナー像を転写する。具体的に、画像形成部４は、図１中に示す矢印方向に回転可能に支持された感光体ドラム４１、感光体ドラム４１の周囲に配設された帯電装置４２、露光装置４３、現像装置４４、転写ローラー４５、清掃装置４６を備える。
【００３６】
画像形成部４での画像形成のプロセスを説明する。まず、感光体ドラム４１は、画像形成部４の略中心に設けられ、所定方向に回転駆動される。そして、帯電装置４２は、感光体ドラム４１の表面を所定電位に均一に帯電させる。露光装置４３は、画像データに基づきレーザー光を出力し、感光体ドラム４１を走査露光する。その結果、静電潜像が感光体ドラム４１表面に形成される。現像装置４４は、静電潜像に向けトナーを供給する。その結果、静電潜像はトナー像として現像される。転写ローラー４５と感光体ドラム４１との間ではニップが形成され、このニップを用紙が通過するとき、転写ローラー４５には所定の電圧が印加され、感光体ドラム４１上のトナー像が用紙に転写される。清掃装置４６は、転写後の感光体ドラム４１の表面を清掃する。
【００３７】
定着部５は、用紙に転写されたトナー像を定着させる。本実施形態の定着部５は、主として、発熱体を内蔵する加熱ローラー５１と、加熱ローラー５１に圧接してニップを形成する加圧ローラー５２とで構成される。加熱ローラー５１と加圧ローラー５２は回転する。そして、加熱ローラー５１と加圧ローラー５２は、トナー像の転写された用紙を送りつつ、用紙を通過させることで、トナーが溶融・加熱される。その結果、トナー像が用紙に定着する。
【００３８】
排出部６は、定着部５を通過し画像形成済みの用紙を排出トレイ６１に排出する。排出部６には、排出ローラー対６２が設けられる。排出ローラー対６２は、画像形成の際、回転し、定着部５を通過した用紙を排出トレイ６１に向けて搬送する。
【００３９】
又、排出部６の排出ローラー対６２近傍に、排出トレイ６１への用紙の排出を検知するための排出センサー６３が設けられる。排出センサー６３は、レジストセンサー３４と同様、例えば、用紙と接すると回転するアクチュエーターを備えた透過型光センサーである。排出センサー６３は、用紙の存在を検知しているときと、検知していないときで出力が変化する。尚、排出センサー６３は、透過型の光センサーに限られず、用紙からの反射光で用紙の到達、通過を検知する反射型光センサーでもよいし、又、光センサーに限られず、他種のセンサー（例えば、超音波センサー）でもよく、用紙の到達、通過を検知可能なセンサーであればよい。
【００４０】
次に、本体部９の側面に取り付けられる給紙装置７を説明する。給紙装置７は、用紙を供給し、画像形成部４に向けて搬送する。給紙装置７は、内部に複数枚の用紙が載置される用紙載置台７１を有する。用紙載置台７１には、各種サイズ（例えば、Ａ４用紙、Ａ３用紙、Ｂ４用紙等のＡ判やＢ判サイズの用紙や、レターサイズなど）の各種タイプ（普通紙、再生紙、厚紙、薄紙、コート紙、ＯＨＰシート等）の用紙を載置できる。例えば、用紙載置台７１には、５００〜１０００枚程度の用紙を積載可能である。そして、用紙の位置を規制するため、後端規制ガイド７２や、用紙を挟むようにスライドして用紙搬送方向と垂直な方向で規制する一対の幅規制ガイド７３が設けられる。
【００４１】
又、用紙載置台７１の上方に給紙ローラー７４（給紙回転体に相当）が設けられる。用紙載置台７１は、バネやモーターにより、用紙搬送方向下流側が上方に付勢される。これにより、給紙ローラー７４と用紙載置台７１に積載された用紙のうち最上位の用紙が常時接する状態とされる。給紙ローラー７４は、回転駆動し、用紙を給紙搬送路７５に向けて送り出す。
【００４２】
給紙搬送路７５は、給紙装置７内に設けられる。給紙搬送路７５は、給紙ローラー７４から送り出された用紙を１８０度方向転換させつつ本体部９に向けて搬送する。給紙搬送路７５の用紙搬送方向下流側端部は、本体部９の本体搬送路３に接続される。又、給紙搬送路７５には、用紙搬送のため、複数の搬送ローラー対７６が設けられる（用紙搬送方向上流側から順に、７６ａ、７６ｂ、７６ｃの符号を付す）。各搬送ローラー対７６ａ〜７６ｃは回転駆動し、用紙を搬送する。尚、用紙搬送方向が１８０度方向転換しているので、給紙搬送路７５の長さは、給紙装置７が収容可能な最大の用紙サイズよりも長い。
【００４３】
又、給紙搬送路７５には、用紙が用紙載置台７１から給紙されたか否かを検知するための給紙センサー７７（用紙検知体に相当）が設けられる。例えば、給紙センサー７７は、搬送ローラー対７６ａと給紙ローラー７４の間に設けられる。給紙センサー７７は、上述のレジストセンサー３４や排出センサー６３と同様に、例えば、用紙と接すると回転するアクチュエーターを備えた透過型光センサーである。アクチュエーターは、用紙が存在していないとき、発光部と受光部間の光路を遮り、用紙と接して回転すると発光部からの光が受光部に到達し、受光部（センサー）の出力が変化する。尚、給紙センサー７７は、透過型の光センサーに限られず、用紙からの反射光で用紙の到達、通過を検知する反射型光センサーでもよいし、又、光センサーに限られず、他種のセンサー（例えば、超音波センサー）でもよく、給紙された用紙の到達、通過を検知可能なセンサーであればよい。
【００４４】
又、給紙装置７は、用紙補給やジャム処理のため、上面カバー７ａが開閉可能である。例えば、上面カバー７ａは、図１中の実線矢印方向に開閉可能である。又、上面カバー７ａは取り外し可能となっていても良い。
【００４５】
（画像形成装置のハードウェア構成）
次に、図２に基づき、給紙装置７を備えた画像形成装置（プリンター１００）のハードウェア構成の一例を説明する。図２は、画像形成装置のハードウェア構成の一例を示すブロック図である。
【００４６】
図２に示すように、本実施形態に係るプリンター１００は、内部に主制御部８（制御基板）を有する。主制御部８は、装置全体の動作を統括し、プリンター１００の各部の制御を司る。そして、主制御部８には、例えば、中央演算処理装置としてＣＰＵ８１やＲＯＭ８２やＲＡＭ８３や画像処理部８４が設けられる。尚、主制御部８は、全体制御や通信制御や画像処理を行うメイン制御部と、画像形成や各種回転体を回転させるモーター８Ｍ等のＯＮ／ＯＦＦ等を制御するエンジン制御部等、機能ごとに複数種に分けられた形態で設けられてもよい。
【００４７】
そして、プリンター１００の主制御部８には、ＲＯＭ８２やＲＡＭ８３等の記憶装置が搭載される。例えば、ＲＯＭ８２には、ＥＥＰＲＯＭなどを採用できる。ＲＯＭ８２は、ＣＰＵ８１が制御のため実行するプログラムなどを記憶する。又、ＲＯＭ８２は、プリンター１００の制御に必要なデータや、装置固有の各種パラメータなどの各種制御用のデータを記憶する。主制御部８（のＣＰＵ８１）はＲＯＭ８２のプログラムやデータをＲＡＭ８３に読み出し、読み出したプログラムやデータを用いて制御を行う。
【００４８】
又、プリンター１００は、外部とのインターフェイスとしての通信Ｉ／Ｆ部８５を含む。通信Ｉ／Ｆ部８５は、例えば、外部のコンピューター２００（例えば、パーソナルコンピューターやサーバー）と、ネットワークやケーブルを介して通信を行う。通信Ｉ／Ｆ部８５は、例えば、ネットワーク接続用のコネクタや、ケーブルでコンピューター２００と直接的に通信するためのコネクタ、通信制御用のコントローラ、チップを含む。通信Ｉ／Ｆ部８５は、コンピューター２００等から画像データや印刷での設定データ等を含む印刷用データを受ける。そして、主制御部８は、画像データに基づき、画像形成部４に印刷を行わせる。
【００４９】
又、主制御部８は、用紙搬送や印刷を実際に行う給紙部２、本体搬送路３、画像形成部４、定着部５と通信可能に接続される。主制御部８は、給紙部２、本体搬送路３、画像形成部４、定着部５、排出部６の動作の制御を行う。又、印刷を行うとき、給紙部２からの給紙や、用紙搬送や画像形成で用いる各種回転体（用紙搬送用の搬送ローラー対３１、３２や感光体ドラム４１等）を回転させるうえで用いられるモーター８Ｍやクラッチ８ＣＬ等の制御を行う（モーター８Ｍやクラッチ８ＣＬはそれぞれ複数存在するがまとめて表記する）。
【００５０】
又、主制御部８には、レジストセンサー３４や排出センサー６３の出力が入力される。主制御部８は、レジストセンサー３４の出力に基づき、レジストセンサー３４への用紙の到達や用紙の通過を認識する。又、主制御部８は、排出センサー６３の出力に基づき、レジストセンサー３４への用紙の到達や排出トレイ６１に用紙が排出されたか否かを認識する。
【００５１】
又、主制御部８は、バス等で操作パネル１とも通信可能に接続される。例えば、主制御部８は、操作パネル１の液晶表示部１１（図１参照）などの表示を制御する。又、操作パネル１内の設定キー１３の押下を認識する。そして、操作パネル１になされた設定内容を示すデータは、主制御部８に送られ、主制御部８は、例えば、給紙装置７に収容される用紙サイズを指定する操作パネル１での設定を認識する。
【００５２】
又、主制御部８は、画像データに対して各種画像処理を行う画像処理部８４を含む。尚、画像処理部８４は、主制御部８外に設けても良い。画像処理部８４は、例えば、画像処理専用の回路としてのＡＳＩＣや画像処理用メモリー等を含む。そして、画像処理部８４は、例えば、濃度変更や拡大縮小等の各種画像処理を画像データに施す。尚、画像処理部８４が行える画像処理は多岐にわたるので、公知の画像処理をおこなえるものとして、実行可能な画像処理の詳細な説明は省略する。そして、画像処理部８４は、画像データに対して露光装置４３で用いることができる形態に変換して露光装置４３に画像データを渡す。露光装置４３は引き渡されたデータに基づき、感光体ドラム４１の走査、露光を行う。
【００５３】
又、主制御部８は、バスや通信線等により、給紙装置７と通信可能に接続される。給紙装置７内には、給紙装置７の動作を実際に制御する給紙制御部７０が設けられる。又、給紙装置７には、例えば、主制御部８と通信を行うためのＩ／Ｆ部７０１が設けられ、給紙制御部７０はＩ／Ｆ部７０１を介して主制御部８と通信を行う。給紙制御部７０は、主制御部８から印刷に伴う給紙の指示を受けると、給紙装置７を実際に制御して、本体部９に用紙を送り込む。
【００５４】
給紙制御部７０は、例えば、ＣＰＵやＡＳＩＣ等の演算処理を行う素子を含む。そして、給紙装置７には、給紙装置７の制御を行うためのプログラムやデータを記憶するメモリー７８が設けられる。給紙制御部７０は、メモリー７８に記憶されたプログラムやデータを用いて給紙装置７の動作の制御を行う。
【００５５】
給紙制御部７０は、給紙装置７内の搬送ローラー対７６ａ、７６ｂ、７６ｃや給紙ローラー７４を回転させる搬送モーター７Ｍの回転を制御する。給紙を行うとき、給紙制御部７０は、予め定められた速度で用紙が搬送されるように搬送モーター７Ｍを回転させる。この搬送モーター７Ｍの駆動力を受けて、搬送ローラー対７６ａ、７６ｂ、７６ｃが回転する。
【００５６】
又、連続して複数ページにわたり印刷するとき、一定の紙間を設けて用紙が搬送されるように、給紙ローラー７４の回転のＯＮ／ＯＦＦを行うための給紙クラッチ７ＣＬが設けられる。給紙クラッチ７ＣＬは、例えば、電磁式のクラッチであり、給紙制御部７０が制御する。給紙クラッチ７ＣＬにより、搬送ローラー対７６ａ〜７６ｃを回転させつつ、給紙ローラー７４を停止させることができる。そして、給紙制御部７０は、給紙クラッチ７ＣＬを制御して、給紙ローラー７４の停止や回転を制御する。尚、搬送ローラー対７６ａ、７６ｂ、７６ｃ用のモーターと給紙ローラー７４用のモーターのように複数のモーターを給紙装置７に設け、給紙制御部７０が、搬送ローラー対７６ａ〜７６ｃと給紙ローラー７４の回転を独立して制御できるようにしてもよい。
【００５７】
又、給紙制御部７０には、給紙センサー７７の出力が入力される。給紙制御部７０は、給紙センサー７７の出力に基づき、用紙が給紙されているか（無給紙ジャムが発生していないか）を確認する。例えば、給紙制御部７０は、給紙ローラー２２を回転させてから予め定められた時間内に給紙センサー７７が用紙を検知したか否かを確認する。
【００５８】
又、給紙装置７には、給紙装置７に収容される用紙サイズを検知するためのサイズセンサー７９が設けられる。サイズセンサー７９は、上述の後端規制ガイド７２の位置を示す信号と、幅規制ガイド７３の位置を示す信号を出力する。例えば、サイズセンサー７９は、後端規制ガイド７２の位置により抵抗値が変化する可変抵抗と、幅規制ガイド７３の位置により抵抗値が変化する可変抵抗を含み、各ガイドの位置に応じて異なる電圧値を出力する。あるいは、サイズセンサー７９は、用紙サイズの位置にあわせ複数の光センサーを含むものでもよい。給紙制御部７０は、サイズセンサー７９の出力に基づき、後端規制ガイド７２や幅規制ガイド７３の位置を認識し、用紙サイズを認識する。
【００５９】
（無給紙ジャム検知）
次に、図３に基づき、本実施形態の給紙装置７からの給紙における無給紙ジャムの検知の流れの一例を説明する。図３は、印刷ジョブの１枚目の用紙での無給紙ジャムの検知の流れの一例を示すフローチャートである。図４は、印刷ジョブの２枚目以降の給紙装置７からの給紙における無給紙ジャムの検知の流れの一例を示すフローチャートである。尚、図３と図４のフローチャートは、一連のものであるが、全てをあわせると長くなるため、図３と図４に分割して示したものである。
【００６０】
例えば、画像データをプリンター１００に向けて送信するコンピューター２００に、プリンター１００を用いるためのプリンタードライバソフトウェアがインストールされる。このプリンタードライバソフトウェアでは、印刷に用いる用紙サイズを設定可能である。そして、給紙装置７が収容している用紙サイズと、プリンタードライバソフトウェアで設定された用紙サイズが一致していると、本体部９の主制御部８は、給紙装置７を給紙元と選択し、給紙制御部７０に給紙の指示を与える。
【００６１】
又、プリンタードライバソフトウェアで給紙元を給紙装置７とする設定を行えるようにしても良い。給紙装置７を給紙元とする設定がコンピューター２００から送られてくれば本体部９の主制御部８は、給紙装置７を給紙元と選択し、給紙制御部７０に給紙の指示を与える。あるいは、操作パネル１で給紙元を給紙装置７とする設定がなされたとき、本体部９の主制御部８は、給紙装置７を給紙元と選択し、給紙制御部７０に給紙の指示を与えてもよい。
【００６２】
そして、図３のスタートは、本体部９の主制御部８の指示に基づき、給紙装置７から給紙を行う時点である。このとき、給紙制御部７０は、本体部９の主制御部８から、給紙を行うべき旨や給紙すべき枚数などの情報を受信している。このように、給紙制御部７０は、主制御部８からの指示を受けて給紙制御を開始する。
【００６３】
そして、給紙制御部７０は、給紙ローラー７４を回転させて、１枚目の用紙の給紙を開始する（ステップ♯１）。次に、給紙制御部７０は、給紙センサー７７の出力に基づき、予め定められた時間内に給紙センサー７７が用紙到達を検知したか否かを確認する（ステップ♯２）。予め定められた時間は、例えば、給紙ローラー７４から給紙センサー７７までの搬送距離を仕様上の用紙搬送速度（給紙ローラー７４の周面の周速度）で除して得られる時間に若干の余裕を持たせた時間である。
【００６４】
もし、用紙の到達を検知できなければ（ステップ♯２のＮｏ）、給紙制御部７０は、給紙ローラー７４を一旦停止させる（ステップ♯３）。そして、給紙制御部７０は、給紙ローラー７４を停止させてから予め定められた待ち時間待った後、給紙ローラー７４を再び回転させる（リトライ動作）（ステップ♯４）。尚、予め定められた待ち時間は、任意に定めることができるが、例えば、数百ミリ秒〜数秒程度である。
【００６５】
そして、給紙制御部７０は、再び、予め定められた時間内に給紙センサー７７が用紙到達を検知したか否かを確認する（ステップ♯５）。もし、用紙到達を検知できなければ（ステップ♯５のＮｏ）、給紙制御部７０は、リトライ動作を予め定められた回数行ったか否かを確認する（ステップ♯６）。尚、予め定められた回数は、任意に定めることができるが、例えば、２〜３回程度である。
【００６６】
もし、リトライ動作をまだ予め定められた回数行っていなければ（ステップ♯６のＮｏ）、フローは、ステップ♯３に戻る。一方、リトライ動作を予め定められた回数行ったのであれば（ステップ♯６のＹｅｓ）、給紙制御部７０は無給紙ジャム発生を検知（認識）し、主制御部８に無給紙ジャム発生を通知する（ステップ♯７）。この通知を受けて、主制御部８は、操作パネル１の液晶表示部１１やインジケーター１２に無給紙ジャムが発生した旨を表示させる（ステップ♯８）。又、主制御部８は、画像形成動作を停止させる（ステップ♯９）。具体的には、主制御部８は、本体搬送路３に用紙搬送を停止させ、画像形成部４や定着部５での画像形成に係る動作を停止させ、排出部６での排出動作を停止させる。そして、本制御は終了する（エンド）。
【００６７】
無給紙ジャムが発生したとき、使用者は、給紙装置７のカバーを外し、用紙載置台７１上の用紙の載置状態を確認する等の無給紙ジャムの処理を行うことになる。そして、無給紙ジャムの処理が完了後、ステップ♯１からやり直しとなる。
【００６８】
最初の給紙ローラー７４の回転開始から、あるいは、リトライ動作の開始から予め定められた時間内に給紙センサー７７で用紙の到達が検知できれば（ステップ♯２のＹｅｓ、ステップ♯５のＹｅｓ）、給紙搬送路７５による用紙の搬送がなされる（ステップ♯１０）。搬送された用紙は、本体搬送路３に合流し、印刷がなされ、排出トレイ６１に排出されることになる。
【００６９】
次に、給紙制御部７０は、印刷ジョブでの全用紙の給紙を完了したか否かを確認する（ステップ♯１１）。もし、印刷ジョブの頁数が１ページであり、全ての用紙の給紙が完了したのであれば（ステップ♯１１のＹｅｓ）、本フローは終了する（エンド）。もし、全ての用紙の給紙が完了していなければ（ステップ♯１１のＮｏ）、２枚目以降の給紙装置７からの給紙における無給紙ジャムの検知のフローに移行する（図４のステップ♯１２へ）。
【００７０】
２枚目以降では、まず給紙制御部７０は、給紙ローラー７４を回転させて給紙を開始する（ステップ♯１２）。次に、給紙制御部７０は、給紙センサー７７の出力に基づき、予め定められた時間内に給紙センサー７７が用紙到達を検知したか否かを確認する（ステップ♯１３）。予め定められた時間は、ステップ♯２の場合と同様である。
【００７１】
もし、用紙の到達を検知できなければ（ステップ♯１３のＮｏ）、給紙制御部７０は、給紙ローラー７４を一旦停止させる（ステップ♯１４）。そして、給紙制御部７０は、給紙ローラー７４を停止させてから予め定められた待ち時間待った後、給紙ローラー７４を再び回転させる（リトライ動作）（ステップ♯１５）。尚、予め定められた時間は、ステップ♯４の場合と同様である。
【００７２】
そして、給紙制御部７０は、再び、予め定められた時間内に給紙センサー７７が用紙到達を検知したか否かを確認する（ステップ♯１６）。もし、用紙到達を検知できなければ（ステップ♯１６のＮｏ）、給紙制御部７０は、次のリトライ動作が予め定められた回数のうち最後のリトライ動作であるか否かを確認する（ステップ♯１７）。尚、予め定められた回数は、ステップ♯６と同様、例えば、２〜３回程度である。
【００７３】
もし、次のリトライ動作が最後のリトライ動作でなければ（ステップ♯１７のＮｏ）、フローは、ステップ♯１４に戻る。一方、次のリトライ動作が最後のリトライ動作であれば（ステップ♯１７のＹｅｓ）、給紙制御部７０は、先行の用紙が給紙搬送路７５を抜ける（先行の用紙の後端が本体搬送路３に入る）のを待つ（ステップ♯１８）。
【００７４】
給紙センサー７７が先行の用紙の先端又は後端を検知してから先行の用紙の後端が給紙搬送路７５を抜けるまでの予定の時間や、給紙ローラー７４を回転させてからの先行の用紙の後端が給紙搬送路７５を抜けるまでの予定の時間は、給紙ローラー７４や給紙センサー７７から本体部９までの搬送距離を仕様上の搬送速度で除して得た時間にマージンを加えて、予め定めておくことができる。そこで、用紙サイズごとに、給紙センサー７７が先行の用紙の先端又は後端を検知してから給紙搬送路７５を先行の用紙の後端が抜けるまでの予定の時間や、給紙ローラー７４を回転させてからの先行の用紙の後端が給紙搬送路７５を抜けるまでの予定の時間を用紙サイズごとに給紙装置７内のメモリー７８に記憶させておく。そして、給紙制御部７０は、メモリー７８のデータを参照し、給紙ローラー７４を回転させてから、あるいは、給紙センサー７７が先行の用紙の先端又は後端を検知してから、先行の用紙の後端が給紙搬送路７５を抜ける予定の時間を計時し、先行の用紙の後端が給紙搬送路７５を抜けるまで待っても良い。
【００７５】
あるいは、用紙のサイズによっては、本体部９のレジストローラーが先行の用紙を送り出してから先行の用紙の後端が給紙搬送路７５から抜ける場合もある。そこで、主制御部８がレジストローラーから用紙の搬送を開始した旨を給紙制御部７０に通知し、給紙制御部７０は主制御部８からの通知を受けてから用紙サイズに応じた時間を待つことにより、先行の用紙の後端が給紙搬送路７５を抜けるまで待っても良い。この場合、用紙サイズごとに、レジストローラーから用紙の搬送を開始した旨の通知を受けてから、先行の用紙の後端が給紙搬送路７５を抜けるまでの予定の時間を給紙装置７内のメモリー７８に記憶させておく。そして、給紙制御部７０は、メモリー７８のデータを参照し、主制御部８からの通知を受けてから先行の用紙の後端が給紙搬送路７５を抜ける予定の時間を計時し、先行の用紙の後端が給紙搬送路７５を抜けるまで待っても良い。
【００７６】
あるいは、レジストセンサー３４が先行の用紙の後端の通過を検知したとき、確実に、先行の用紙は給紙搬送路７５から抜けている。そのため、主制御部８がレジストセンサー３４の出力に基づき先行の用紙の後端がレジストセンサー３４を通過したことを検知し、先行の用紙の後端がレジストセンサー３４を抜けたことを給紙制御部７０に通知してもよい。この場合、給紙制御部７０は、主制御部８からの通知を受けるまで、待っても良い。
【００７７】
ステップ♯１８の後、給紙制御部７０は、給紙ローラー７４を回転させてリトライ動作を行わせる（ステップ♯１９）。そして、給紙制御部７０は、再び、予め定められた時間内に給紙センサー７７が用紙到達を検知したか否かを確認する（ステップ♯２０）。
【００７８】
もし、最後のリトライ動作で、用紙到達を検知できなければ（ステップ♯２０のＮｏ）、給紙制御部７０は、無給紙ジャム発生を検知（認識）し、主制御部８に無給紙ジャム発生を通知する（ステップ♯２１）。この通知を受けて、主制御部８は、先行の用紙が排出トレイ６１に排出された後に画像形成動作を停止させる（ステップ♯２２）。言い換えると、主制御部８は、先行の用紙の搬送を終えてから本体搬送路３に搬送を停止させ、先行の用紙の画像形成を終えてから画像形成部４や定着部５を停止させ、先行の用紙の排出を終えてから排出部６を停止させる。更に、主制御部８は、操作パネル１に無給紙ジャムが発生した旨を表示させる（ステップ♯２３）。そして、本制御は終了する（エンド）。
【００７９】
無給紙ジャムが発生したとき、使用者は、給紙装置７のカバーを外し、用紙載置台７１上の用紙の載置状態を確認する等の無給紙ジャムの処理を行うことになる。そして、無給紙ジャムの処理が完了後、未印刷のページのうちの先頭ページを１ページ目として、ステップ♯１からやり直しとなる。
【００８０】
最初の給紙ローラー７４の回転開始から、あるいは、リトライ動作の開始から予め定められた時間内に給紙センサー７７で用紙の到達が検知できれば（ステップ♯１３のＹｅｓ、ステップ♯１６のＹｅｓ、ステップ♯２０のＹｅｓ）、給紙搬送路７５による用紙の搬送がなされる（ステップ♯２４）。搬送された用紙は、本体搬送路３に合流し、印刷がなされ、排出トレイ６１に排出されることになる。
【００８１】
次に、給紙制御部７０は、印刷ジョブでの全用紙の給紙を完了したか否かを確認する（ステップ♯２５）。もし、全ての用紙の給紙が完了したのであれば（ステップ♯２５のＹｅｓ）、本フローは終了する（エンド）。もし、全ての用紙の給紙が完了していなければ（ステップ♯２５のＮｏ）、フローはステップ♯１２に戻る。
【００８２】
このようにして、本発明に係る画像形成装置（例えば、プリンター１００）は、用紙を搬送する本体搬送路３と用紙に画像を形成する画像形成部４と画像形成済みの用紙を外部に排出する排出部６を含む本体部９と、複数枚の用紙を収容する給紙装置７を有し、給紙装置７は、用紙を送り出す給紙回転体（給紙ローラー７４）と、本体搬送路３に接続され、給紙回転体が送り出した用紙を本体搬送路３に向けて搬送する給紙搬送路７５と、給紙搬送路７５の搬送経路に設けられ、給紙された用紙の到達、通過を検知する用紙検知体（給紙センサー７７）と、を含み、給紙回転体が回転を開始してから予め定められた時間内に用紙検知体が用紙の到達を検知できないとき、給紙回転体は、一旦停止し、予め定められた待ち時間待った後に回転するリトライ動作を予め定められた回数行うとともに、先に給紙され、先行する用紙の後端が給紙搬送路７５を抜けてから最後のリトライ動作を行い、最後のリトライ動作を行っても、予め定められた時間内に用紙検知体が用紙の到達を検知できないとき、無給紙ジャム発生により、給紙回転体は給紙停止を行い、給紙搬送路７５は搬送停止を行う
【００８３】
これにより、給紙回転体（給紙ローラー７４）を回転させても給紙がなされない無給紙ジャムが生じたとして、給紙回転体の回転や給紙搬送路７５の搬送を停止させても、給紙装置７内の給紙搬送路７５には先行の用紙は残されない。従って、無給紙ジャムの処理の際、給紙搬送路７５の用紙を取り除く必要が無くなり、給紙装置７でのジャム処理が容易となる。
【００８４】
又、本体搬送路３は、給紙装置７での給紙停止及び搬送停止の前に給紙搬送路７５から搬入された先行の用紙を搬送し終えた後に停止し、画像形成部４は、先行の用紙に対して画像を形成し終えた後に停止し、排出部６は、画像が形成された先行の用紙を排出し終えた後に停止する。これにより、無給紙ジャムが生じたとして、給紙装置７の給紙回転体（給紙ローラー７４）や給紙搬送路７５が停止しても、本体部９内の全ての用紙に対して印刷を完了するまで、本体部９では画像形成（印刷）が続けられる。従って、無給紙ジャムが生じたとき、使用者は、本体部９内の用紙を除去せずに済み、給紙装置７での用紙の載置状態の確認（無給紙ジャムを生じさせた用紙の確認）を行うだけで無給紙ジャムのジャム処理を終えることができる。
【００８５】
又、画像形成装置（例えば、プリンター１００）の本体部９は、画像形成装置の状態を表示する表示部（液晶表示部１１やインジケーター１２）を含み、表示部は、給紙装置７が無給紙ジャム発生による給紙停止及び搬送停止を行ったとき、給紙装置７で無給紙ジャムが生じた旨を表示する。これにより、使用者は、給紙装置７で無給紙ジャムが発生したことを認識できる。
【００８６】
従来、給紙装置７内の給紙搬送路７５が長いほど、無給紙ジャムによって給紙回転体や給紙搬送路７５が停止したとき、給紙搬送路７５に用紙は残りやすいものであった。しかし、給紙搬送路７５は、用紙１枚分よりも長く、給紙回転体（給紙ローラー７４）は、用紙検知体（給紙センサー７７）による先行の用紙の到達検知から先行の用紙の後端が給紙搬送路７５を抜けるまでに要する時間だけ待った後、最後のリトライ動作を行う。これにより、給紙搬送路７５が用紙１枚分よりも長いような長さを有していても、無給紙ジャム発生による停止のとき、給紙搬送路７５には用紙が残らない。従って、使用者の無給紙ジャム発生時のジャム処理での作業を確実に簡略化することができる。
【００８７】
又、本発明は、給紙装置７の発明としても捉えることができる。具体的に、本発明に係る給紙装置７は、用紙を送り出す給紙回転体（給紙ローラー７４）と、給紙装置７外の搬送路に接続され、給紙回転体が送り出した用紙を給紙装置７外の搬送路に向けて搬送する給紙搬送路７５と、給紙搬送路７５の搬送経路に設けられ、給紙された用紙の到達、通過を検知する用紙検知体（給紙センサー７７）と、を含み、給紙回転体が回転を開始してから予め定められた時間内に用紙検知体が用紙の到達を検知できないとき、給紙回転体は、一旦停止し、予め定められた待ち時間待った後に回転するリトライ動作を予め定められた回数行うとともに、先に給紙された用紙の後端が給紙搬送路７５を抜けてから最後のリトライ動作を行い、最後のリトライ動作を行っても、予め定められた時間内に用紙検知体が用紙の到達を検知できないとき、無給紙ジャム発生により、給紙回転体は給紙停止を行い、給紙搬送路７５は搬送停止を行う。これにより、給紙回転体（給紙ローラー７４）を回転させても給紙がなされない無給紙ジャムが生じたとして、給紙回転体の回転や給紙搬送路７５の搬送を停止させても、給紙装置７内の給紙搬送路７５には先行の用紙は残されない。従って、無給紙ジャムの処理の際、給紙搬送路７５の用紙を取り除く必要が無くなり、給紙装置７でのジャム処理が容易となる。
【００８８】
又、給紙装置７の給紙搬送路７５は、用紙１枚分よりも長く、給紙回転体（給紙ローラー７４）は、用紙検知体（給紙センサー７７）の先行の用紙の到達検知から先行の用紙の後端が給紙搬送路７５を抜けるまでに要する時間だけ待った後、最後のリトライ動作を行う。これにより、給紙搬送路７５が用紙１枚分よりも長いような長さを有していても、無給紙ジャム発生による停止のとき、給紙搬送路７５には用紙が残らない。従って、使用者の無給紙ジャム発生時のジャム処理での作業を確実に簡略化することができる。
【００８９】
以上、本発明の実施形態を説明したが、本発明の範囲はこれに限定されるものではなく、発明の主旨を逸脱しない範囲で種々の変更を加えて実施することができる。
【産業上の利用可能性】
【００９０】
本発明は、給紙装置を備えた画像形成装置や給紙装置に利用可能である。
【符号の説明】
【００９１】
１００  プリンター（画像形成装置）      １      操作パネル
１１      液晶表示部（表示部）          １２    インジケーター（表示部）
３      本体搬送路                      ４      画像形成部
６      排出部                          ７      給紙装置
７４    給紙ローラー（給紙回転体）      ７５    給紙搬送路
７７    給紙センサー（用紙検知体）      ９      本体部
【図１】
0005599107.tif 000002
【図２】
0005599107.tif 000003
【図３】
0005599107.tif 000004
【図４】
0005599107.tif 000005